Podtech/llm-jp-corpus-v4-ja_patent huggingface dataset:
(57)【要約】【課題】足の外果及び内果より下に、足の反射区という形で体全体の機能が反映されている。その足の反射区を適度な強さと回数により刺激することにより、体調を整えることができる。【解決手段】足の反射区の接するところに、水・気容室を設け、体重の圧力により、水・気容室が膨張と縮小を繰り返しながら、順次刺激する足の反射区を変えながら加圧を行っていく。体調の程度により、特定の反射区に激痛を覚えるので、加圧の程度の調整が可能となっている。自分の好きな時間に好きな場所で、足踏みという簡単な動作でリフレクソロジーができる。【特許請求の範囲】
【請求項１】
履物のかかとの下部に、液体または気体の入った容器をセットし、そのなかに複数の送水口、または送気口を設け、管を通じて送水または送気する仕組み。
【請求項２】
液体または気体の入った容器の中の、送水・気口を開閉する幕。
【請求項３】
足の反射区に接する部分に設けられた水容室または気容室。
【請求項４】
送水または送気の開閉幕を前進させる仕組み。
【請求項５】
送水または送気を強弱調整できる調整金具。
【発明の詳細な説明】
【０００１】
【発明の属する技術分野】
本発明は、自分の体重による圧力でリフレクソロジーを可能にしたものである。また、足踏みという簡単な動作だけでリフレクソロジーの効果が期待できる。足の反射区の皮膚の接する部分に、ゴム製品または弾力性のある物質で空ほうを作り、管を通じて水容器または気容器から液体または気体を送り、空ほう部分を膨張と縮小させ、指圧効果を創出するものである。
【０００２】
【従来の技術】
竹踏みや足裏に凸をつけた履物、電気器具によるローラーの回転による足裏マッサージ器、二重底で空気室を設けたマット状の敷物に凸を備え、手動による気の送排の繰り返しで足裏を刺激する器具であった。
【０００３】
【発明が解決しようとする課題】
１．足の反射区を手の指で押し圧する効果を演出する。
２．押し圧の強弱を自在に調整できる。
３．足の反射区の一つ一つを順次押し圧していくことができる。
４．一つ一つ足の反射区を、複数回連続して押し圧できる。
５．手の皮膚の感触を与えることができる。
６．不慮の事故の防止ができる。
【０００４】
【課題を解決するための手段】
１．直接皮膚に当たる部分には、柔らかい弾力性のあるゴム製品または、これに準じる弾力性のある物質を使用する。
２．水圧または気圧で膨張させることにより、一つ一つの足の反射区を、指圧による強弱自在の感覚で刺激できる。
３．体重による圧力を、水容器または気容器に加えることにより、圧迫により逃げようとする液体または気体が管を通って、足の反射区部分に設定されてある水容室または気容室へ進み、この部分を膨張させる。
４．人により痛みには個人差があるが、別に圧力調整金具を水容室または気容室の下へ取り付けることができる。
【０００５】
【発明の実施の形態】
本発明は、履物のかかとの下の部分に水容室または気容室を作成し、比較的に軽いものとして作成されてあるので、持ち運びも自由で自宅の居間や寝室に置き、そこで自由にリフレクソロジーが行える。また、外出に際しては車に積んで、外出先で足の疲れをリフレクソロジーで癒すことができる。
【０００６】
【発明の効果】
１週に１〜２度、１回１０〜２０分程度の使用で
１．足が軽くなる。
２．長期間継続して使用するとリフレクソロジーの効果が高まり、健康の維持に役立つ。
【図面の簡単な説明】
【図１】立面図
足のかかとの下部分に水・気容室があり、その中に体重により加圧され送水・気される装置がある。
【図２】サンダルの断面図
足裏、甲部分、側面の皮膚に接する部分に、ゴムまたは弾性のある物質の水・気容室があり、体重の加圧によりここが膨れ皮膚を指圧する。
【図３】水・気容室
水・気容室の大きさは、それぞれ直径５ｍｍから１５ｍｍの大きさで、一つ一つの室に凸があり、送水・気口へつながっている。一反射区にある水・気容室の数は、２〜３０個である。
【図４】水・気容室の断面図
【図５】加圧室の断面図
給水・気口を開閉する幕を前進させる装置は、仕組みにより足を１回踏むごとに一つ前進し、送水・気口を通過するまでに、数回同一送水・気口へ、送水・気を続けることができる。
【図６】図５の２０の部分の拡大図
ゴムその他の弾性物質で、液体または気体を加圧することにより、外へ膨れる特性を利用して、開閉の前進装置を一つずつ前進させる。
【図７】水・気容室の正面図
【図８】送水・気口の断面図
【図９】送水・気口開閉幕前進装置の断面図
【図１０】送水・気口開閉幕の立面図
【符号の説明】
１．水・気容器  ２．足裏が接する部分  ３．甲の皮膚が接する部分  ４．マジックテープ  ５．凸部分  ６．水・気容室  ７．送水・気管  １０．送水・気口１５．送水・気口開閉幕  １６．開閉幕前進トビラ  １７レール  ２０．開閉幕前進装置  ２０−１．ゴム  ２０−２．コイル  ２０−３．前進棒  ４０．圧縮室  １００．バラス台  ４０−１．調整金具
【図１】
2004358157.tif 000002
【図２】
2004358157.tif 000003
【図３】
2004358157.tif 000004
【図４】
2004358157.tif 000005
【図５】
2004358157.tif 000006
【図６】
2004358157.tif 000007
【図７】
2004358157.tif 000008
【図８】
2004358157.tif 000009
【図９】
2004358157.tif 000010
【図１０】
2004358157.tif 000011
(57)【要約】【課題】殺菌ランプの高い殺菌効果を維持させる条件を備えた空気殺菌器を提供する。【解決手段】殺菌ランプ周囲温度が１０〜３５℃の時にランプ点灯後安定した状態でランプ電流が定格電流値の±１０％の範囲になる安定器（３）等を使用し、空気殺菌器を使用する室内において、器具（１）内に設置する殺菌ランプ（２）点灯後、ランプ周囲器具内温度を１０〜３５℃に維持するように、調整板（６）で吸気口（４）又は排気口（５）の面積を調整し決定した構造を特徴とする。【選択図】図１
2004358160.tif 000002
【特許請求の範囲】
【請求項１】
使用する室内において、空気殺菌器の器具内に設置してある殺菌ランプの点灯後ランプ電流が安定した状態でのランプ周囲器具内温度範囲を１０〜３５℃に保つための機構をもったことを特徴とする空気殺菌器。
【請求項２】
殺菌ランプを点灯後、殺菌ランプ周囲温度１０〜３５℃の範囲においてランプ電流が安定した状態で、安定器等のランプ電流が定格電流値の±１０％になるように設計された安定器等を使用することを特徴とする空気殺菌器。
【発明の詳細な説明】
【０００１】
【発明の属する技術分野】
この発明は、殺菌ランプのランプ周囲器具内温度を１０〜３５℃に設定することによって、高い殺菌効果を維持する空気殺菌器に関するものである。
【０００２】
【従来の技術】
従来殺菌ランプの殺菌効果に関しての具体的条件をもつ器具はなかった。
【０００３】
【発明が解決しようとする課題】
従来殺菌ランプに関する器具はあったが、殺菌ランプは殺菌効果が重大なポイントとなるため、高い殺菌効果を維持しなければならない。そのため、その特性上殺菌ランプ点灯時のランプ周囲器具内温度を高い殺菌効果が維持できる１０〜３５℃、使用する安定器等は、前記温度範囲内においてランプ定格電流値の±１０％維持することにより高い殺菌効果を維持させることが必要である。
【０００４】
【課題を解決するための手段】
殺菌ランプ点灯後、殺菌ランプ周囲温度を１０〜３５℃の範囲においてランプ電流が安定した状態で、ランプ電流が定格電流値の±１０％になるように設計さた安定器等を使用し、空気殺菌器内のランプ周囲器具内温度を１０〜３５℃になるように、予め設計された面積にした吸気口又は排気口又は、ランプ周囲器具内温度調整のための可動式のスリット等を設けた吸気口又は排気口、またはファン等を設置する。
【０００５】
【発明の実施の形態】
以下、本発明の一実施の形態について説明する。
空気殺菌器の器具１の器具内に設置された殺菌ランプ２及び前述の条件を満たす安定器３、その面積が調整できる吸気口４と排気口５を備えた空気殺菌器を、使用する室内に設置し、ランプ点灯後、ランプ電流が定格電流値の±１０％になる安定状態を確認する。
【０００６】
この状態で、ランプ電流が定格電流値の±１０％を保つように、ランプ周囲器具内温度を温度計等で測定しながら１０〜３５℃になるよう、吸気口４又は排気口５の面積を調整板６等をスライドさせながら調整し決定する。
【０００７】
図１による説明では、吸気口又は排気口の面積を調整し予め決定したが、ファン等でランプ周囲器具内温度を調整し予め決定してもよい。
【０００８】
吸気口又は排気口の面積を予め決定することなく、その面積を調整できるような可動式のスリット等を設けた吸気口又は排気口、またはファン等の強さの調整で、ランプ周囲器具内温度を調整してもよい。
【０００９】
器具内に、温度センサー等を設け、モーター等により自動的に上記可動式スリット等が開閉しまたは、ファン等の強さが自動的に、使用する室内温度の変化に応じて、ランプ周囲器具内温度を調整できるようにしてもよい。
【００１０】
熱源の１つである安定器等を器具内に入れず、器具外に別置きとしてもよい。
【００１１】
【発明の効果】
以上説明したように、本発明によれば、殺菌ランプの特性上、前述の条件を満たす安定器等を使用し、ランプ周囲器具内温度を１０〜３５℃に保つことにより高い殺菌効果を維持することができる。
【図面の簡単な説明】
【図１】本発明の一実施例の内部構造を説明する図である。
【図２】本発明の一実施例の吸気口４及び排気口５の正面図である。
【符号の説明】
１    器具
２    殺菌ランプ
３    安定器
４    吸気口
５    排気口
６    調整板
【図１】
2004358160.tif 000003
【図２】
2004358160.tif 000004
(57)【要約】【課題】頭皮全体のマッサージが可能であり、操作も簡単で継続的な頭皮マッサージが可能な枕型頭皮マッサージ装置を提供する。【解決手段】頭部を載置し得る枕部にマッサージ装置を備え付けることにより頭頂部、前頭部を含む頭皮全体にマッサージを施すことができるようにする。【選択図】  図１
2004358151.tif 000002
【特許請求の範囲】
【請求項１】
頭部を載置し得る枕部１に、マッサージ装置機構２を備え付けたことを特徴とするマッサージ枕。
【請求項２】
マッサージ装置機構２に各種のマッサージ装置を用いた請求項１のマッサージ枕。
【請求項３】
枕部に各種のマッサージ装置を用いた請求工１のマッサージ枕。
【発明の詳細な説明】
【０００１】
【発明の属する技術分野】
この発明は枕部１に取り付けたマッサージ装置機構２によって寝ながらにして頭皮全体のマッサージが可能な枕型頭皮マッサージ装置に関するのである。
【０００２】
【従来の技術】
従来、この種の頭皮マッサージのための装置としてバンド式のものや、くし型のものがある。また、枕型のマッサージ具もあったがこれらは首部、肩部そして後頭部にマッサージを施すものであった。
【０００３】
【発明が解決しようとする課題】
しかし上記のマッサージ具には次のような欠点があった。
（イ）  バンド式のものは着脱が面倒であった。
（ロ）  くし型のものは手で本体を支えたり、自らマッサージ具を振動させたりしなければならず、手が疲労して継続が困難であった。
（ハ）  枕型のものには頭頂部、前頭部を効果的にマッサージできるものがなかった。
本発明は、これらの欠点を除くためになされたものである。
【０００４】
【課題を解決するための手段】
本発明のマッサージ枕は次のように構成するものである。すなわち本発明の請求項１のマッサージ枕は、頭部を載置し得る枕部１に、マッサージ装置機構２を取り付けたことを特徴とするものである。
【０００５】このマッサージ枕を用いるときは仰向けに寝転がり後頭部を枕部１に載置する。つぎにマッサージ装置機構を動かし希望の位置で固定する。最後にスイッチ４を入れると頭皮の希望の位置にマッサージを施すことができる。
【０００６】さらにマッサージ装置機構２及び枕部１には各種のマッサージ装置を応用することができる。
【０００７】枕部１、マッサージ装置機構２に空気圧を利用したものを用いれば適度な圧力をかけることができる。
【０００８】マッサージ装置機構２に頭部がすっかりと入る半球状のものを用いると、頭部を載置した後の調節動さを省くこともでき、頭皮全体にマッサージを施すことができる。
【０００７】
【作用】本発明のマッサージ枕は、上記のような構造を採用することにより以下のような作用をもたらす。本発明のマッサージ枕は、頭部を載置することによって、頭部の重さにより定位置に維持される枕部１とその枕部１に備え付けられたマッサージ装置部２からできているため、仰向けに寝転がった楽な姿勢の状態で、頭皮の希望の部位を自動でマッサージすることができる。
【０００８】またマッサージ部２及び枕部１には各種のマッサージ装置を応用することができるので、揉みマッサージ、振動マッサージ、指圧マッサージなどの機能を備えた枕型頭皮マッサージ装置が実現できる。
【０００９】さらに本発明をマッサージ椅子に応用すると頭皮のマッサージも可能なマッサージ椅子を開発することができる。
【０００９】
【発明の実施の形態】以下、本発明のマッサージ枕を、図面に示す実施例に基づいてこれを詳細に説明する。図１、図５は本発明の１実施例を示す説明図であり、図４は本発明のマッサージ装置機構にマッサージ具を取り付けた１実施例を示した図である。
【００１０】すなわち、図１の実施例に示す本発明の請求項１のマッサージ枕は、頭部を載置し得る枕部１にマッサージ装置機構２を取り付けたものである。
本発明は以上のような構造であり、これを使用するときは仰向けに寝転がり枕部１に後頭部を載置する。次にマッサージ装置機構を動かし、頭部のマッサージしたい部位に移動し、固定用つまみ３で固定する。最後にマッサージ装置機構２のスイッチ４を入れるとマッサージが始まる。マッサージ装置機構２、枕部１には各種のマッサージ装置を応用することができる。
【００１１】
【発明の効果】本発明の請求項１のマッサージ枕は、頭頂部や前頭部を含む頭皮全体に楽な姿勢で効果的にマッサージを施すことができるようにしたマッサージ枕である。
【００１２】マッサージ装置機構２にすでに開発されている各種のマッサージ装置を応用することによって揉みマッサージ、振動マッサージ、指圧マッサージなどさまざまなマッサージを頭皮の好みの部分に楽な姿勢で施すことができる。
また枕部１に各種のマッサージ装置、例えば後頭部、肩、首のマッサージが可能なマッサージ枕を用いれば頭皮全体と肩、首のマッサージを施すことのできるマッサージ枕を提供することができる。さらにマッサージ椅子などを用いれば頭から足まで全身のマッサージを施すことのできるマッサージ装置を提供することができる。
【図面の簡単な説明】
【図１】本発明の斜視図である。
【図２】本発明のマッサージ装置機構の斜視図である。
【図３】本発明の枕部の斜視図である。
【図４】本発明の１実施例の斜視図である。
【図５】本発明の１実施例の斜視図である。
【符号の説明】
１  枕部
２  マッサージ装置機構
３  固定用つまみ
４  スイッチ
５  電源配線
６  頭部
【図１】
2004358151.tif 000003
【図２】
2004358151.tif 000004
【図３】
2004358151.tif 000005
【図４】
2004358151.tif 000006
【図５】
2004358151.tif 000007
(57)【要約】【課題】指輪を興趣あるものとする。【解決手段】リング部（１）に人形（２）が取り付けられた指輪とする。リング部（１）に人形（２）が取り付けられているので、斬新な興趣ある指輪とすることができ、ことに幼児、子供等の興味を引く玩具とすることができる。【選択図】      図１
2004358154.tif 000002
【特許請求の範囲】
【請求項１】
リング部に人形が取り付けられたことを特徴とする指輪。
【請求項２】
請求項１に記載の指輪において、人形がリング部に着脱可能に取り付けられたことを特徴とする指輪。
【請求項３】
請求項１又は請求項２に記載の指輪において、人形の一部が人形の本体に着脱可能に取り付けられたことを特徴とする指輪。
【請求項４】
請求項１乃至請求項３のいずれかに記載の指輪において、リング部が人形の一部を表すように形成されたことを特徴とする指輪。
【発明の詳細な説明】
【０００１】
【発明の属する技術分野】
本発明は、指輪に関する。
【０００２】
【従来の技術及び発明が解決しようとする課題】
従来、指輪はリング部に宝石、ガラス玉、金属塊等を取り付けた単純な構造であり、冷たいイメージが強い。
【０００３】
本発明は、より斬新で興趣ある指輪を提供することを目的とする。
【０００４】
【課題を解決するための手段】
上記課題を解決するため、請求項１に係る発明は、リング部（１）に人形（２）が取り付けられた指輪を採用する。
【０００５】
この請求項１に係る発明によれば、リング部（１）に人形（２）が取り付けられているので、斬新な興趣ある指輪とすることができ、ことに幼児、子供等の興味を引く玩具とすることができる。
【０００６】
また、請求項２に係る発明は、請求項１に記載の指輪において、人形（２）がリング部（１）に着脱可能に取り付けられた指輪を採用する。
【０００７】
この請求項２に係る発明によれば、人形（２）をリング部（１）に対して付け替えることができるので、様々な指輪を形成することができる。
【０００８】
また、請求項３に係る発明は、請求項１又は請求項２に記載の指輪において、人形の一部（２ａ）が人形（２）の本体に着脱可能に取り付けられた指輪を採用する。
【０００９】
この請求項３に係る発明によれば、人形（２）の一部（２ａ）を人形の本体（１ｂ）に対して付け替えることができるので、様々な指輪を形成することができる。
【００１０】
また、請求項４に係る発明は、請求項１乃至請求項３のいずれかに記載の指輪において、リング部（１）が人形（２）の一部（２ｃ）を表すように形成された指輪を採用する。
【００１１】
この請求項４に係る発明によれば、リング部（１）が人形（２）の一部（２ｃ）を表すので、指輪全体を人形（２）として表し、指輪を興趣あるアクセサリーとすることができる。
【００１２】
【発明の実施の形態】
以下、本発明の実施の形態について図面を参照して説明する。
【００１３】
＜実施の形態１＞
図１及び図２に示すように、この指輪は、リング部１と、リング部１に取り付けられた人形２とを具備する。
【００１４】
リング部１は、金属、樹脂、木材等の材料で環状に形成される。リング部１の外面には座部３が形成され、座部３の平面上に人形２が接着剤、両面粘着テープ、面ファスナー、ねじ等により固定される。
【００１５】
人形２は、人間、動物、キャラクターその他の形状に繊維、布、樹脂、ガラス、金属、木材、陶器、磁器等の材料で形成される。図示例のように繊維、布類等の柔らかい素材でぬいぐるみとして形成することにより、幼児、子供等の興味を引く玩具となる。
【００１６】
図３に示す斜線部分は、着脱自在とすることができる。
すなわち、人形２がリング部１に着脱可能に取り付けられ、また、人形２の一部である例えば頭部２ａが人形２の本体２ｂに着脱可能に取り付けられる。もちろん頭部２ａ以外の箇所例えば腕２ａ、脚２ｃ、尻尾２ｅを着脱可能にすることもできる。このように、人形２又は人形の一部をリング部１に対して付け替えることにより、様々な指輪を形成することができる。
【００１７】
＜実施の形態２＞
図４に示すように、この実施の形態２では、リング部１が人形２の一部を表すように形成される。図示例では人形２の一部である脚２ｃがリング部１を形成している。脚２ｃのほか、手２ｄ、尻尾２ｅ（図２参照）等他の部位をリング部１とすることも可能である。
【００１８】
このようにリング部１が人形２の一部をなすので、指輪全体が人形として表わされる。
【００１９】
【発明の効果】
請求項１の発明によれば、リング部に人形が取り付けたので、斬新な興趣ある指輪とすることができ、ことに幼児、子供等の興味を引く玩具とすることができる。
【００２０】
請求項２に係る発明によれば、請求項１に記載の指輪において、人形がリング部に着脱可能に取り付けられた指輪であるから、人形をリング部に対して付け替えることができ様々な指輪を形成することができる。
【００２１】
請求項３に係る発明によれば、請求項１又は請求項２に記載の指輪において、人形の一部が人形の本体に着脱可能に取り付けられた指輪であるから、人形の一部を人形の本体に対して付け替えることができ、様々な指輪を形成することができる。
【００２２】
請求項４に係る発明によれば、請求項１乃至請求項３のいずれかに記載の指輪において、リング部が人形の一部を表すように形成された指輪であるから、リング部が人形の一部を表すので、指輪全体を人形として表し、指輪を興趣あるアクセサリーとすることができる。
【図面の簡単な説明】
【図１】本発明の実施の形態１に係る指輪の正面図である。
【図２】図１に示す指輪の側面図である。
【図３】図１に示す指輪の着脱可能な箇所を示す正面図である。
【図４】本発明の実施の形態２に係る指輪の正面図である。
【符号の説明】
１…リング部
１ｂ…人形の本体
２…人形
２ａ…頭部
２ｃ…脚
【図１】
2004358154.tif 000003
【図２】
2004358154.tif 000004
【図３】
2004358154.tif 000005
【図４】
2004358154.tif 000006
(57)【要約】      （修正有）【課題】野球・ソフトボールにおける打撃力と打率の向上。【解決手段】野球・ソフトボールにテニス的な片手による打撃方法を導入した。【選択図】なし【特許請求の範囲】
【請求項１】
野球・ソフトボールの実戦における片手による打撃方法。
【発明の詳細な説明】
【０００１】
【発明の属する技術分野】
スポーツの（野球・ソフトボール）における打撃方法に関するものである。
【０００２】
【従来の技術】
バットを両手で握り両手で打つ打撃方法。従来のこの打撃方法だとプロの一流選手でも３割台の打率しか出せなかった。
【０００３】
【発明が解決しようとする課題】
打撃力および打率の向上（４割以上の打率）。
野球ができて１２０年以上の歴史をもち今現在も世界中で多数の人が競技をし、打撃の向上を目指し続け多数の人々にも観戦し続けられてきたが、未だかって考案されなかった、この簡単で単純な片手打法で野球の従来の打率の記録を更新し塗り替えることを課題とするものです。
【０００４】
【課題を解決するための手段】
野球にテニス的打法を活用し片手で自在に振れる重さと長さのバットを用いてこのバットを片手で振り、片手で打つ片手打法用バットも考案作成しこのバットを用いて片手打法を行う。
【０００５】
【発明の実施の形態】
野球の打撃に片手で打つテニス的打法を導入した。
両手によるスィングと比較して片手の方がバットのスィングが思い通りの軌道を正確且つ俊敏に描き、バットが正確に推移するためバットがボールを正確且つ確実に捕え易い。
【０００６】
【発明の効果】
片手打法は構えの時点で球筋が見やすくどのコース・どの球種にでも身体の打つ体勢が素早く容易にでき、ストライクゾーンのボールに対してほぼ９０％以上の確率でバットに当てることができた。  バットのスィングの軌道が思い通り正確に描くためにジャストミートの確率が極端に向上した。さらに片手打ちによる打球の弱さ・飛距離の問題はジャストミートすることによりカバーでき、さらにテニス流の両手打ちをすることでより飛距離を伸ばすことができた。
(57)【要約】      （修正有）【課題】物体の移動や介護のための労力の負担を軽減し、特殊動力車が運転する事ができる人なら誰にでも容易に扱う事ができ、利用性の高い物置台・寝台を提供する。【解決手段】物置台・寝台の平面部に切込１と進入口２を設けて、特殊移動力台車８と組合わせてその特殊移動力台車によって、物体の移動や介護に掛かる労力を軽減させ介護の負担を軽くし介護作業を容易にする。【選択図】図５
2004358150.tif 000002
【特許請求の範囲】
【請求項１】
物置台・寝台の本体平面部において、切り込み部を設けて別の台部が切り込み部へ納まる様にした切込み部を有する物置台・寝台。
【請求項２】
物置台・寝台に別の台部が進入出来る開口を設け、そこから切込み台部に納まるようにした請求項１記載の物置台・寝台。
【請求項３】
別の台部が、特殊動力車によって進入が可能な開口で、上記開口を塞ぐ事の出来る請求項１あるいは請求項２記載の物置台・寝台。
【請求項４】
物置台・寝台切込部に進入する別の台部は、敷物を要して物体を安全なベルトで止めたもので、動力によって自由に動作できる特殊な動力車で身体物品等の受入台であり、請求項１あるいは請求項３のいずれか１項目記載の物置台・寝台。
【請求項５】
物置台・寝台の切込部、構造物材は、耐熱性部材で構成し半永久性強度を持つ部材を使用し、請求項１あるいは請求項４いずれか１項目記載の物置台・寝台。
【発明の詳細な説明】
【０００１】
【発明の属する技術分野】
本発明は、物置台・寝台より物体を移動する時の労力を軽減させる事に関する。
【０００２】
【従来の技術】
従来の物置台・寝台には、平面的ものや上部を保護した構造で、一般的なベットへの形であり、請求項１・２・３項目に記載の用途に乏しく特殊動力車と組合わせて使用する機能がなかった。
【０００３】
【発明が解決しようとする課題】
以上に述べた、従来の一般的な物置台・寝台では平面的構造と物体を乗せる利用目的で使用され、特殊動力車との組合わせる思考は無く、労力の軽減には用いられず単なる台として扱われている。
【０００４】
【課題を解決するための手段】
そして本発明は、上記目的を達成するために従来の物置台・寝台に切込部を設け、切込部に別の特殊な台の出入り口を設けて物体を容易に移動できる特殊動力車と組合わせて使用するものである。
【０００５】
【発明の実施の形態】
以下本発明の実施の形態を、図１〜図６に基づいて説明する。
【０００６】
【実施例】
図２においては、物置台・寝台に切込部を設けて特殊動力車に付属する別台を収納させるためである。
【０００７】
また、物置台・寝台に特殊動力車によって切込部に合った別の台部を出入する事が出来る開口を設けたものである。
【０００８】
上記の組合せによって、重量物や介護を受ける人の身体を移動させる事の出来る方法が取れるため、労力の省力化し以上の様な本実施形態によれば労力を軽減させる事に役立てる。
【発明の効果】
上述したように、本発明の物置台・寝台は、物体の移動や介護のための労力の負担を軽減し、特殊動力車が運転する事ができる人なら誰にでも容易に扱う事ができ、利用性の高い物置台・寝台を提供できる。また、広範囲に応用性があり介護、医療、工業にも応用できる機能性がある。
【図面の簡単な説明】
【図１】従来の物置台・寝台の側面図。
【図２】本発明の物置台・寝台の側面から見た姿図。
【図３】本発明の物置台・寝台の平面図・側面図。
【図４】本発明の物置台・寝台の側面図。
【図５】本発明の物置台・寝台と特殊動力車との組合わせ例の側面図。
【図６】特殊動力車によって寝台から出て動力車に変わる例の側面図。
【符号の説明】
１  物置台・寝台の切込部で特殊動力車の台部が収納できる箇所
２  物置台・寝台に別の台部が特殊動力車によって出入する開口部。
３  物置台・寝台に別の台部が収納された後に塞ぐ事の出来るカバー装置。
４  特殊動力車に取付けられた台部。
５  特殊動力車に取付けられた台部の敷物。
６  物体を保護する安全ベルト。
７  特殊動力車の上下運動する主軸。
８  特殊動力車本体（下部）。
【図１】
2004358150.tif 000003
【図２】
2004358150.tif 000004
【図３】
2004358150.tif 000005
【図４】
2004358150.tif 000006
【図５】
2004358150.tif 000007
【図６】
2004358150.tif 000008
(57)【要約】【目的】携帯用で座り心地、寝心地が良い物でかつ快適な温度を供与するウォーターマットを提供する。【構成】プラスチックフィルムをキャップとともに熱接着加工し、保温材を入れて防水のカバーをしたものに、調整した生石灰を市販のペットボトル容器中に満たした水に添加し完全に分散させたなら、ウォーターマットのキャップから溶液を注ぎ、注ぎ終えたら閉栓する。【選択図】  図３
2004358142.tif 000002
【特許請求の範囲】
【請求項１】
加温した水を携帯可能な大きさの袋に入れ、適度な温度および座り心地を供する事を特徴とするウォーターマット製品。
【請求項２】
水を入れた際、座り心地を良くする形状の内袋を特徴とするウォーターマット製品。
【請求項３】
水を内袋に入れる際のキャップ形状を特徴とするウォーターマット製品。
【請求項４】
水を加温する際に、このために調整された生石灰の化学反応による発熱を利用し、携帯を可能にしたことを特徴とするウォーターマット製品。
【発明の詳細な説明】
【０００１】
【発明の属する技術分野】
この発明は、プラスチックフィルムを熱接着加工し、その中に適温の水を入れ、温度面からも座り心地、寝心地面からも検討されたウォーターマット製品に関する。
【０００２】
【従来の技術】
従来、ウォーターマットと称する製品は、そのウォーターと称する内容物を温度調整するには電気によるサーモスタット等により発熱をコントロールしてきた。それは、一度使用し始めると常時電気を使用せねばならず、携帯用としての機能は有していない。
【０００３】
また、座り心地、寝心地面から携帯用のウォーターマットとして検討されているものは無いのが現状であった。
【０００４】
こうしたものは、その大きさも重量も有り携帯することができる水準ではなかった。しかし、これを携帯用とするのにその座り心地、寝心地面から適度な温度を供する内容物を簡易に製作し、それを内袋に入れる方法が無かったことが現状であった。
【０００５】
【発明が解決しようとする課題】
本発明は、上記のような不都合を解決しようとするものであり、これを組み合わせる事により携帯用ばかりでなく、暫時睡眠をとる場合にも利用できるようにする事を目的とするものである。
【０００６】
【課題を解決するための手段】
本発明の発明者は、ウォーターマットを携帯用にし、かつその温度および座り心地、寝心地を適度なものとするため鋭意研究を重ねた。その結果、プラスチックフィルムを適宜な形状にした型を作製し、キャップとともに熱接着加工し、その今回考案したキャップにこの加温用に調整された生石灰の水への化学反応により得られる熱を水に供給し、キャップを閉じる事により適温を得られるウォーターマットが作製せられた。なお、考案したウォーターマットにはキャップから加温された水を投入する際および熱接着したマットが破損した際の安全を確保するため、かつ加温した内容物を保温するための防水かつ保温材を入れたカバーを取り付ける。そのようにすることにより携帯に簡便なウォーターマットとしての機能上の問題が解決される事が有効である事を突き止め、本発明を完成するに到ったものである。なお、その特徴はプラスチックフィルムに熱接着加工する際の形状、キャップの形状、水を加温する調整された生石灰を使用することにかかる。
【０００７】
図１は、プラスチックフィルムに熱接着加工する形状である。
本発明の請求項２の構成を示す図面である。この熱接着加工する個所の本体の大きさに対する構成が水の入れやすさ、および座ったり寝たりした際の水の動きを適度に制御し、その心地よさを供する構成となる。
【０００８】
図２は、キャップの形状である。
このキャップの形状が、本発明の請求項３の構成を示す図面である。これが容易にペットボトルから水を入れやすくし、かつ漏洩しにくくする構造である。
【０００９】
図３は、携帯ウォーターマット全体の平面図である。
本発明の請求項１の構成を示す図面である。
【００１０】
水等を加温する生石灰は、市販のペットボトルに入れ易いような粒の大きさと１度に入れて適度な温度になるような発熱を供する事ができる加温曲線が得られるよう調整されている。また直接手で触る事の無いように防水紙で包まれている。
【００１１】
このプラスチックフィルムを熱接着加工した物を、保温用のカバーに内包し、防水紙で包まれた生石灰をペットボトル等の市販容器に水を入れたものに投入し、加熱した溶液をキャップから入れキャップの栓を締めることにより完成する。
【００１２】
【発明の効果】
本発明によれば、例えば、野外で座ったり、仮眠を取ったりする際に座り心地良く、かつ適温が最初から得られる為、違和感なく直ちに目的のため供与される。これが市場に供給されれば、冬季のスポーツ観戦、野外ステージの観戦ひいては災害時、遭難時の携帯ウォーターマットに供給できる。
【図面の簡単な説明】
【図１】プラスチックフィルムの熱接着加工をする個所を示したの平面図である。
【図２】キャップの構造を示した分解図である。
【図３】携帯用ウォーターマットの構造を示した平面図である。
【符号の説明】
１      本体
２      キャップ
３      外部熱接着個所
４      内部熱接着個所
５      保温材
６      キャップの本体
７      キャップの蓋
８      カバー
【図１】
2004358142.tif 000003
【図２】
2004358142.tif 000004
【図３】
2004358142.tif 000005
(57)【要約】【課題】印字する画像はひとつであるという原則が存在する。即ち、印字領域に印字する多種多様な画像文字や絵画像を貼り付け、印字領域全体をひとつの画像と見なす方法がとられている。これは完璧かつ理想的な方法であるが、他人の権利であるという問題点があった。【解決手段】第一の方法は、印字領域と同じ領域を有する画像ファイルにすることである。第二の方法は、印字領域と同じ領域を水平方向に二分するそれぞれの領域に印字するデータを張り合わせることである。第三の方法は、印字領域と同じ領域を垂直方向に二分するそれぞれの領域に印字するデータを張り合わせることである。【選択図】        図１
2004358777.tif 000002
【特許請求の範囲】
【請求項１】
画像は、印字領域と同じ領域を有しかつファイル化されたものであることを特徴とする印字方法。
【請求項２】
画像は、印字領域と同じ領域を水平方向に二つ以上に分割された一部分を構成することを特徴とする印字方法。
【請求項３】
画像は、印字領域と同じ領域を垂直方向に二つ以上に分割された一部分を構成することを特徴とする印字方法。
【発明の詳細な説明】
【０００１】
【発明の属する技術分野】
本発明は、プリンタによる画像印字方法に関する。
【０００２】
【従来の技術】
従来の画像印字は、印字領域にあっちこっちに散らばった画像を想定していないものである。つまり、画像はひとつであり、左端から右端まで上端から下端まで切れ目なくイメージ出力することがプログラム上の原則であることが知られている。
【０００３】
【発明が解決しようとする課題】
従来の技術で述べたごとく、印字する画像はひとつであるという原則が存在する。即ち、印字領域に印字する多種多様な画像文字や絵画像を貼り付け、印字領域全体をひとつの画像と見なす方法がとられている。これは完璧かつ理想的な方法であるが、他人の権利であるという問題点があった。
【０００４】
本発明は、他人の権利を侵さないことを目的としており、上記の問題点を解決する印字方法を提供することを目的としている。
【０００５】
【課題を解決するための手段】
第一の方法は、印字領域と同じ領域を有する画像ファイルにすることである。第二の方法は、印字領域と同じ領域を水平方向に二分するそれぞれの領域に印字するデータを張り合わせることである。第三の方法は、印字領域と同じ領域を垂直方向に二分するそれぞれの領域に印字するデータを張り合わせることである。
【０００６】
【発明の実施の形態】
発明の第一実施例について図面を参照して説明する。図２の印字領域３は縦幅Ｙと横幅Ｘを有することを前提とする。この印字領域３と同じ領域である図１の縦幅Ｙと横幅Ｘを有する別の画像領域２を初期化して作成する。作成した画像領域２に文字「あ」１を貼り付け、画像領域２をひとつの画像としてファイルに登録してクローズかつ画像領域２を削除する。印字時には、削除した画像領域２内にあった画像は既にファイル化されているから、ファイルにある画像をイメージ出力するものである。
【０００７】
発明の第二実施例について図面を参照して説明する。第一実施例で述べたごとく、印字領域３は縦幅Ｙと横幅Ｘを有していることを前提とする。印字領域３の縦幅Ｙの内、任意な縦幅Ｙ１をとり、残りを縦幅Ｙ２として水平方向に二分する。二分する上側の領域として図４の縦幅Ｙ１と横幅Ｘを有する別の画像領域６を初期化して作成する。ここに文字「あ」上側部分４を貼り付ける。二分する下側の領域として図５の縦幅Ｙ２と横幅Ｘを有する別の画像領域７を初期化して作成する。ここに文字「あ」下側部分５を貼り付ける。印字出力では先ず、画像領域６をイメージ出力して、切れ目なく連続して画像領域７をイメージ出力するものである。図３が印字の結果である。上側部分が画像領域６を印字した部分である。下側部分が画像領域７を印字した部分である。
【０００８】
発明の第三実施例について図面を参照して説明する。第一実施例で述べたごとく、印字領域３は縦幅Ｙと横幅Ｘを有していることを前提とする。印字領域３の横幅Ｘの内、任意な横幅Ｘ１をとり、残りを横幅Ｙ２として垂直方向に二分する。二分する左側の領域として図７の縦幅Ｙと横幅Ｘ１を有する別の画像領域１０を初期化して作成する。ここに文字「あ」左側部分８を貼り付ける。二分する右側の領域として図８の縦幅Ｙと横幅Ｘ２を有する別の画像領域１１を初期化して作成する。二つの画像が横並びの状態であるから、先ず画像領域１０の２４ライン分をイメージ出力し、画像領域１１の２４ライン分をイメージ出力しかつ２４ドット改行することを最終ラインまで繰り返すものである。図６が印字の結果である。
【０００９】
なお、画像は許容されたデータ形式を有することを前提とする。初期化はその画像のデータ形式においてデータがないことを意味するものである。第三実施例のイメージ出力は２４ピンドット式プリンタを使用した。
【００１０】
【発明の効果】
本発明は、以上説明したように構成されているので、以下に記載されるような効果を奏する。
【００１１】
本発明では、個々印字画像を貼り付けた印字領域全体をイメージ出力することでなく、ファイルの中の画像や別個にあるそれぞれの画像領域をイメージ出力するものである。
【図面の簡単な説明】
【図１】ファイル化された画像の一例の図である。
【図２】印字領域の一例の図である。
【図３】上下に分割したそれぞれの領域を印字した一例の図である。
【図４】文字「あ」の上側部分を貼り付けた一例の図である。
【図５】文字「あ」の下側部分を貼り付けた一例の図である。
【図６】左右に分割したそれぞれの領域を印字した一例の図である。
【図７】文字「あ」の左側部分を貼り付けた一例の図である。
【図８】文字「あ」の右側部分を貼り付けた一例の図である。
【符号の説明】
１    文字「あ」
２    画像領域
３    印字領域
４    文字「あ」上側部分
５    文字「あ」下側部分
６    画像領域
７    画像領域
８    文字「あ」左側部分
９    文字「あ」右側部分
１０  画像領域
１１  画像領域
Ｘ    横幅
Ｘ１  横幅
Ｘ２  横幅
Ｙ    縦幅
Ｙ１  縦幅
Ｙ２  縦幅
【図１】
2004358777.tif 000003
【図２】
2004358777.tif 000004
【図３】
2004358777.tif 000005
【図４】
2004358777.tif 000006
【図５】
2004358777.tif 000007
【図６】
2004358777.tif 000008
【図７】
2004358777.tif 000009
【図８】
2004358777.tif 000010
(57)【要約】      （修正有）【課題】  棚受装置の装着後は簡単に外れることのない棚受装置の提供。【解決手段】  壁面に敷設されたレールＲに取り付けるための取付部と、棚板Ｔを載置するための棚受部とから成る棚受装置であって、取付部の垂直片２１には棚受部の水平片３１と平行な縁取り片を形成して水平片３１と縁取り片２２との間で棚板Ｔの端部を挟持させるように構成すると共に、前記垂直片２１の上端に形成された嵌合片２４を前記レールＲの前方に開く溝から差し入れた後、縁取り片２２とレールＲの係合部との間の隙間にパッキングＰを介在させたことを特徴とする。【選択図】        図２
2004358204.tif 000002
【特許請求の範囲】
【請求項１】
壁面Ｗに敷設されたレールＲに取り付けるための取付部２と、棚板Ｔを載置するための棚受部３とから成る棚受装置１であって、取付部２の垂直片２１には棚受部３の水平片３１と平行な縁取り片２２を形成して水平片３１と縁取り片２２との間で棚板Ｔの端部を挟持させるように構成すると共に、前記垂直片２１の上端に形成された嵌合片２４を前記レールＲの前方に開く溝から差し入れた後、縁取り片２２とレールＲの係合部Ｒ２との間の隙間にパッキングｐを介在させたことを特徴とする棚受装置。
【発明の詳細な説明】
【発明の詳細な説明】
【技術分野】
【０００１】  本発明は、壁面に敷設されたレールに取り付けて使用する棚受装置に関するものである。
【背景技術】
【０００２】  従来から壁面に敷設されたレールの溝に棚受装置を回転させながらその一部を差し入れて取り付けるようにした棚受装置は特開２００２−３６４１０３等の公報によって公知である。
【発明が解決しようとする課題】
【０００３】  然しながら、このような棚受装置にあっては、壁に取り付けられたレールの前方に開く溝から棚受装置に形成された嵌合片を回転させながら差し入れることによって棚受装置をレール即ち壁面に簡単に取り付けられるというメリットを有する反面、棚受装置に装着された棚板が下から不測に押し上げられることによって簡単にレールから外れ、棚受装置自体が脱落するという問題点があった。
【発明の目的】
【０００４】  本発明は、上記従来技術の問題点を解決するために、棚受装置の装着後は簡単に外れることのない棚受装置を提供することを目的とするものである。
【課題を解決するための手段】
【０００５】  本発明に係る棚受装置は、壁面に敷設されたレールに取り付けるための取付部と、棚板を載置するための棚受部とから成る棚受装置であって、取付部の垂直片には棚受部の水平片と平行な縁取り片を形成して水平片と縁取り片との間で棚板の端部を挟持させるように構成すると共に、前記垂直片の上端に形成された嵌合片を前記レールの前方に開く溝から差し入れた後、縁取り片とレールの係合部との間の隙間にパッキングを介在させたことを特徴とするものである。
【発明の作用】
【０００６】  縁取り片とレールの係合部との間の隙間にパッキングを介在させてあるので、棚受装置の取り外し方向への回転は阻止され、レールに装着後は棚受装置は取り外せない。
【発明を実施するための最良の形態】
【０００７】  本発明装置の実施の形態を実施例について具体的に説明する。
【実施例】
【０００８】  図１は、本発明装置の斜視図、図２は、同装置を壁面に取り付けた状態の図１のＡ−Ａ線部分の縦断側面図である。【０００９】  図において、１は、壁Ｗに敷設されたレールＲに取り付けるための取付部２と、棚板Ｔを載置するための棚受部３とから成る本発明に係る棚受装置であって、取付部２の壁面Ｗに接する垂直片２１には棚受部３の水平片３１と平行な縁取り片２２を形成して水平片３１と縁取り片２２との間で棚板Ｔの端部を挟持させるように構成されている。【００１０】  上記棚受装置１において、上記棚受部３の水平片３１の一部を溝ａのある肉厚部としてこの部分に棚板Ｔを下方から押し上げる調整ネジ４を螺合させる螺子孔３ａを形成している。【００１１】  また、棚受装置１の垂直片２１の上端には後述する壁に敷設されたレールに嵌合させる嵌合片２４を設け、垂直片２１の下端には壁面を傷つけないようにするパツキングを装着する溝２５を形成している。【００１２】  而して、本発明の棚受装置に使用されるレールＲは、図２に示されるように壁ボードＷに取り付けられるもので、この壁ボードＷに取り付けられたレールＲの前方に開く溝から棚受装置１の嵌合片２４を回転させながら差し入れることによって係止溝Ｒ１に嵌合片２４の下端部２４ａを嵌合させ、且つ、上端部２４ｂを係合部Ｒ２に接合させることによって水平方向の抜け止めがなされるようになっている。【００１３】  ｐは、本発明を構成するパッキングであって、上述のようにレールＲの前方に開く溝から棚受装置１の嵌合片２４を回転させながら差し入れることによって係止溝Ｒ１に嵌合片２４の下端部２４ｂを嵌合させ、且つ、上端部２４ａを係合部Ｒ２に接合させた後、縁取り片２２とレールＲの係合部Ｒ２との間の隙間に介在させるものである。【００１４】  尚、図中、５は、水平片３１の下面を隠すための覆片で、調整ネジ４を螺合させる螺子孔３ａに相当する個所には孔を空けている。【００１５】  次に、本発明装置の具体的用法を説明する。【００１６】  先ず、予め棚受装置１の水平片３１と縁取り片２２との間に棚板Ｔを差し入れて公知の固定手段によって棚受装置１と棚板Ｔを一体化する。【００１７】  而して、棚受装置１の嵌合片２４を壁ボードＷに取り付けられたレール本体Ｒの前方に開く溝から回転させながら差し入れ、係止溝Ｒ１に嵌合片２４の下端部２４ｂを嵌合させ、且つ、上端部２４ａを係合部Ｒ２に接合させて水平方向の抜け止めをした後、縁取り片２２と係合部Ｒ２の間の隙間にパッキングｐを介在させ、棚受装置１の回転を阻止することによって棚板の使用時には取り外せないようにしてある。
【発明の効果】
【００１８】  以上述べた如く、本発明に係る棚受装置によれば、壁面に敷設されたレールに取り付けるための取付部と、棚板を載置するための棚受部とから成る棚受装置であって、取付部の垂直片には棚受部の水平片と平行な縁取り片を形成して水平片と縁取り片との間で棚板の端部を挟持させるように構成すると共に、前記垂直片の上端に形成された嵌合片を前記レールの前方に開く溝から差し入れた後、縁取り片とレールの係合部との間の隙間にパッキングを介在させたものであるから、棚板を間違って持ち上げようとしても棚受装置はパッキングによって取り外し方向へは回転できず、棚受装置に装着された棚板が下から不測に押し上げられることによって簡単にレールから外れ、棚受装置自体が脱落するという従来装置の問題点を解消するに至ったものであり、また、パッキングによって縁取り片とレールの係合部との間の隙間が隠され、安全で且つ体裁の良い棚受装置を提供することができるものである。
【図面の簡単な説明】
【図１】  本発明装置の斜視図である。
【図２】  同装置を壁面に取り付けた状態の図１のＡ−Ａ線部分の縦断側面図である。
【符号の説明】
１          棚受装置
２          取付部
３          棚受部
Ｒ          レール
ｐ          パッキング
【図１】
2004358204.tif 000003
【図２】
2004358204.tif 000004
(57)【要約】      （修正有）【課題】この発明は、角材・板材から、寸法精度の良いきれいな、ダボ形状物を製造するダボカッターに関するものである。【解決手段】ダボカッター先端刃部の内刃（３）を外刃（４）と同一面か短くし、ダボ（１）外周面と内刃（３）の接触面を少なくする。そして、軟質材の加工物は、すくい角（６）と逃げ角（７）を大きくする。【選択図】図２
2004358939.tif 000002
【特許請求の範囲】
【請求項１】
内刃を外刃に対して同一面か、又は、短くし，ダボと内刃の接触面を少なくしたファインダボカッター
【請求項２】
外刃のすくい角、逃げ角が大きなファインダボカッター
【発明の詳細な説明】
この発明は、ダボカッターの先端刃部に関するものである。
従来のダボカッターは、内刃で最初にダボ加工が完了する為に、外刃が材料を抜けて回転停止する迄、ダボ（１）はダボカッター（２）と切り粉（５）による回転摩擦を繰り返している。
その結果、ダボ（１）外周面のキズが多く寸法精度も悪い商品となつている。
本発明は、その欠点を除くためになされたもので、これを図面について説明すれば、ダボカッター（２）の内刃（３）を、外刃（４）の面に対して同一か、それより短くし、ダボとダボカッターの接触時間を少なくする。
本発明は、このような構造であるから、図２のように内刃（３）を、外刃（４）の面に対して同一か、短くすることで、ダボカッターの外刃（４）が材料を抜けると同時に、ダボ（１）も一緒に切り離され、接触面も少なくしたことで、ダボ（１）外周面のキズは切り粉（５）の影響もなく改善される。
本発明は、外刃のすくい角（６）、逃げ角（７）を大きくすることで、軟質材もファインカットできる。
【図面の簡単な説明】
【図１】本発明の全体図である
【図２】本発明の詳細図である
【符号の説明】
（１）ダボ（２）ダボカッター（３）内刃（４）外刃（５）切り粉（６）すくい角（７）逃げ角
【図１】
2004358939.tif 000003
【図２】
2004358939.tif 000004